(57)【特許請求の範囲】
【請求項１】
色彩・大きさ・位置・物性等の要素を有する被解析物と、
前記被解析物を有し且つ１つ１つが互いに異なる独自性を備えたアナログチップと、このアナログチップを特定するアナログチップ番号（Ｔ）を備えた認証物と、
前記アナログチップが有する前記被解析物を観測してチップ解析データ（Ｋａ）を生成する観測部と、
前記アナログチップ番号（Ｔ）の情報を読み取る読み取り部と、
前記チップ解析データ（Ｋａ）から前記要素を抽出して符号化するそれぞれが異なる複数の符号化方法データ（ａ）と、
前記観測部からの前記チップ解析データ（Ｋａ）と前記読み取り部からの前記アナログチップ番号（Ｔ）が入力される端末入力部を有する第１情報処理部と、
前記第１情報処理部に接続される第２情報処理部とを備え、
前記第２情報処理部に前記第１情報処理部が情報網を介して接続される前記認証物の真贋を判定するコンピュータシステムであって、
前記第１情報処理部は、
複数の前記符号化方法データ（ａ）の内の少なくとも一つの符号化方法データ（ａ）を有し、この符号化方法データ（ａ）によって前記チップ解析データ（Ｋａ）からチップ符号データ（Ｆ）を生成し、
前記チップ解析データ（Ｋａ）から前記チップ符号データ（Ｆ）を生成した前記符号化方法データ（ａ）と、前記アナログチップ番号（Ｔ）と、前記チップ符号データ（Ｆ）とを有する符号データ群を情報網を介して前記第２情報処理部に出力し、
前記第２情報処理部は、
前記アナログチップ番号（Ｔ）に関連付けられたチップデータ（Ｔａ）を記憶するアナログチップデータベースを有し、
前記第１情報処理部から前記符号データ群が送信されてくると、
前記アナログチップデータベースから前記符号データ群の前記アナログチップ番号（Ｔ）に関連づけられた前記チップデータ（Ｔａ）を読み出し、
このチップデータ（Ｔａ）と前記符号データ群の前記符号化方法データ（ａ）と前記符号データ群の前記チップ符号データ（Ｆ）とによって前記認証物の真贋を判定する真贋判定システムを有することを特徴とする前記コンピュータシステム。
【請求項２】
色彩・大きさ・位置・物性等の要素を有する被解析物と、
前記被解析物を有し且つ１つ１つが互いに異なる独自性を備えたアナログチップと、このアナログチップを特定するアナログチップ番号（Ｔ）を備えた認証物と、
前記アナログチップが有する前記被解析物を観測してチップ解析データ（Ｋａ）を生成する複数の観測方法の内の少なくとも一つの観測方法を備えた観測部と、
前記アナログチップ番号（Ｔ）の情報を読み取る読み取り部と、
前記観測部からの前記チップ解析データ（Ｋａ）と前記読み取り部からの前記アナログチップ番号（Ｔ）が入力される端末入力部を有する第１情報処理部と、
前記第１情報処理部に情報網を介して接続される第２情報処理部とを有し、
前記第２情報処理部に前記第１情報処理部が情報網を介して接続される前記認証物の真贋を判定するコンピュータシステムであって、
前記第１情報処理部は、
前記チップ解析データ（Ｋａ）からチップ符号データ（Ｆ）を生成し、
前記アナログチップ番号（Ｔ）と、前記チップ符号データ（Ｆ）と、前記観測方法を特定する観測手段データ（Ａ）とを有する符号データ群を情報網を介して前記第２情報処理部に出力し、
前記第２情報処理部は、
前記アナログチップ番号（Ｔ）と観測手段データ（Ａ）とに関連付けられたチップデータ（Ｔａ）を記憶するアナログチップデータベースを有し、
前記第１情報処理部から前記符号データ群が送信されてくると、
前記符号データ群の前記アナログチップ番号（Ｔ）と前記観測手段データ（Ａ）とに関連付けられた前記チップデータ（Ｔａ）を前記アナログチップデータベースから読み出し、  このチップデータ（Ｔａ）と前記符号データ群の前記チップ符号データ（Ｆ）とを照合して前記認証物の真贋を判定する真贋判定システムを有することを特徴とする前記コンピュータシステム。
【請求項３】
色彩・大きさ・位置・物性等の要素を有する被解析物と、
前記被解析物を有し且つ１つ１つが互いに異なる独自性を備えたアナログチップと、このアナログチップを特定するアナログチップ番号（Ｔ）を備えた認証物と、
前記アナログチップが有する前記被解析物を観測してチップ解析データ（Ｋａ）を生成する複数の観測方法の内の少なくとも一つの観測方法を備えた観測部と、
前記アナログチップ番号（Ｔ）の情報を読み取る読み取り部と、
前記チップ解析データ（Ｋａ）を符号化する複数の符号化方法データ（ａ）と、
前記観測部からの前記チップ解析データ（Ｋａ）と前記読み取り部からの前記アナログチップ番号（Ｔ）が入力される端末入力部を有する第１情報処理部と、
前記第１情報処理部に接続される第２情報処理部とを有し、
前記第２情報処理部に前記第１情報処理部が情報網を介して接続される前記認証物の真贋を判定するコンピュータシステムであって、
前記第１情報処理部は、
複数の前記符号化方法データ（ａ）の内の少なくとも一つの符号化方法データ（ａ）を有し、この符号化方法データ（ａ）によって前記チップ解析データ（Ｋａ）からチップ符号データ（Ｆ）を生成し、
前記チップ解析データ（Ｋａ）から前記チップ符号データ（Ｆ）を生成した前記符号化方法データ（ａ）と前記アナログチップ番号（Ｔ）と前記チップ符号データ（Ｆ）と前記観測方法を特定する観測手段データ（Ａ）とを有する符号データ群を情報網を介して前記第２情報処理部に出力し、
前記第２情報処理部は、
前記アナログチップ番号（Ｔ）と観測手段データ（Ａ）とに関連付けられたチップデータ（Ｔａ）を記憶するアナログチップデータベースを有し、
前記第１情報処理部から前記符号データ群が送信されてくると、
前記符号データ群の前記アナログチップ番号（Ｔ）と前記観測手段データ（Ａ）とに関連付けられた前記チップデータ（Ｔａ）を前記アナログチップデータベースから読み出し、
前記符号データ群の前記符号化方法データ（ａ）と前記チップデータ（Ｔａ）と前記符号データ群の前記チップ符号データ（Ｆ）とによって前記認証物の真贋を判定する真贋判定システムを有することを特徴とする前記コンピュータシステム。
【請求項４】
３次元空間における前記被解析物の特徴点の位置情報（座標）を前記チップ符号データ（Ｆ）とし、
前記アナログチップデータベースに記憶された被解析物の３次元空間のおける位置情報が基準データとして記憶された前記チップデータ（Ｔａ）と照合して前記認証物の真贋判定行うことを特徴とする請求項１乃至請求項３のいずれかに記載の前記コンピュータシステム。
【請求項５】
前記第２情報処理部は、
前記アナログチップ番号（Ｔ）に関連付けられたチップデータ（Ｔａ）を記憶するアナログチップデータベースを有し、
前記第１情報処理部から前記符号データ群が送信されてくると、
前記アナログチップデータベースから符号データ群の前記アナログチップ番号（Ｔ）に関連づけられた前記チップデータ（Ｔａ）を読み出し、このチップデータ（Ｔａ）から前記符号データ群の前記符号化方法データ（ａ）によってダミーデータ（ｆ）を生成し、このダミーデータ（ｆ）と前記符号データ群の前記チップ符号データ（Ｆ）とを照合して前記認証物の真贋を判定する真贋判定システムを有することを特徴とする請求項１及び請求項３のいずれかに記載の前記コンピュータシステム。
【請求項６】
前記観測部の精度を変更することが可能なことを特徴とする請求項１乃至請求項５のいずれかに記載のコンピュータシステム。
【請求項７】
前記第１情報処理部の前記チップ解析データ（Ｋａ）から前記チップ符号データ（Ｆ）を生成する前記符号化方法データ（ａ）を前記第１情報処理部の外からリモートコントロールで変更可能としたことを特徴とする請求項１もしくは請求項３乃至請求項６のいずれかに記載のコンピュータシステム。
【請求項８】
前記符号化方法データ（ａ）を自律的に出力する自律的符号化方法データ出力部を備え、
前記第１情報処理部の前記チップ解析データ（Ｋａ）から前記チップ符号データ（Ｆ）を生成する前記符号化方法データ（ａ）を自律的に変更可能とすることを特徴とする請求項１もしくは請求項３乃至請求項６のいずれかに記載のコンピュータシステム。
【請求項９】
前記第１情報処理部に前記符号データ群の全部もしくは一部を暗号化する暗号化部を有し、
前記第２情報処理部に暗号化された前記符号データ群を復号化する復号化部を有することを特徴とする請求項１乃至請求項８のいずれかに記載のコンピュータシステム。
【請求項１０】
請求項１乃至請求項９のいずれかに記載のコンピュータシステムによって真贋が判定される前記アナログチップと、このアナログチップを特定する前記アナログチップ番号（Ｔ）を備えことを特徴とする前記認証物。
【請求項１１】
アナログチップを特定する前記アナログチップ番号（Ｔ）が接触型ＩＣもしくは非接触型のＩＣチップから出力されることを特徴とする請求項１０に記載の前記認証物。
【請求項１２】
請求項１乃至請求項９のいずれかに記載のコンピュータシステムの第１情報処理部に接続される観測部。
【請求項１３】
請求項１乃至請求項９のいずれかに記載のコンピュータシステムにおける第１情報処理部。
【請求項１４】
請求項１乃至請求項９のいずれかに記載のコンピュータシステムにおける第２情報処理部。
【発明の詳細な説明】
【技術分野】
【０００１】
本発明は、複数の要素を備えたアナログ情報を有するチップと、このチップの活用法を開示するものであって。特には、ＩＣカード、クレジット・カード、キャッシュ・カード、プリペイド・カード、磁気カード等のカード類と、診察券、保険証、鉄道業、保険者、社会保険・社会福祉、地元商店街組合、各種商品卸売業、次世代ＩＣカード、自治体、電気通信業、電子マネー、ネットワーク等の、会員証の本人認証における所有物認証に係わる。
また、車のキー、家のキー、コインロッカーのキー等にも応用が可能な認証物に関わる。
【背景技術】
【０００２】
現代社会において、クレジットカード、ＩＤカード、キー（鍵）など、セキュリティに関して本人認証は重要な役割を担っている。
この本人認証の方式には、大きく分けると、
イ．知っていること(something you know)（暗証番号）
ロ．持っていること(something you have)（所有物認証）
ハ．生体個別の特徴（行動認証を含む）を有すること(something you are)（生体認証）の３つがあり、これらは相互に補完して高いレベルのセキュリティを構築するが、特に「持っていること」によって証明される所有物認証の具体例としては、従来、磁気カード、ＩＣチップなど様々な方法が提案されている。
【０００３】
前記本人認証における所有物認証の認証物として、モアレ縞を利用して秘密画像を隠しパターン化し、そのパターンの上に干渉画像形成体を被せると秘密画像が出現するように構成してカード等の真贋判定を行う従来例が提案されている。
しかしながら、モアレ縞を真贋判定に用いる発明は、予定されている秘密画像を干渉画像形成体を利用して可視化するものであるので、秘密画像を可視化する干渉画像形成体は１つの種類しかなかった。
従って、干渉画像形成体もしくは、干渉画像形成体を備えた真贋判定装置が外部に流出したり、カードが不正に横流しされた場合などには、カードを含めたシステム全体を変更しなければ成らないので、認証システムが増大すると共に不正に対応するコストも増大するという問題があった。
【０００４】
また、従来、最もセキュリティレベルが高いとされるＩＣチップにおいては、ＩＣチップのセキュリティの基本は記録するデータをいかに保護するかにあって、このデータが外部の人間に漏れたり解析されたりすると、認証物（ＩＣカード）が簡単に偽造されてしまう。従って、このデータを保護するためにＩＣカードに対する不正なアクセスを防止するために、ハードウェア技術による耐タンパ性の向上や、ソフトウェア技術による暗号化（公開鍵等）、利用者の認証、アクセス管理（データの保護等）や、システム技術によるリスク管理等の高度な技術を必要とされている。
このことは、ＩＣチップを利用する認証物のセキュリティシステムの巨大化と複雑化を招き、ＩＣチップの場合には真贋判定の結果によって得られる価値（例えば、小規模な店舗が発行するポイント等）が低い場合であっても、非常に高度な技術を有する端末装置とセキュリティ管理が要求され、ひいてはＩＣカードを広く普及させる為の阻害要因の一つとなっていた。
【０００５】
【特許文献１】特開２００２−２７９４８０
【特許文献２】特許第２６４４８１２
【発明の開示】
【発明が解決しようとする課題】
【０００６】
本発明は、本人認証において「持っていること」の役割に注目し、複製が難しく且つ安価にセキュリティシステムを構築可能なアナログチップを備えた認証物の真贋判定システムを提供することを目的とする。
【０００７】
更に、それぞれが独立した認証システム（真贋判定システム）において、被解析物を解析する手段、符号化方法等の一つ若しくは全てを、それぞれに備えることを可能とすることで、各認証システムの独立性を保証すると同時に、それぞれが独自性を有する複数の認証システムにアクセスできることを可能とするコンピュータシステム及び認証物を提供することを課題とする。
【０００８】
また、本件発明においては、認証物の真正性を証明する方法に複製が極めて困難であり、且つ、記録されたデータの保護を必要としないアナログチップを認証物に採用し、このアナログチップを観測してデータを得、そのデータを認証することによって認証物の真正性を証明し。従来のＩＣカード等におけるセキュリティの複雑化と言うリスクを回避しうる真贋判定システムを提供することを課題とする。
【課題を解決するための手段】
【０００９】
本件第１の発明では、色彩・大きさ・位置・物性等の要素を有する被解析物と、前記被解析物を有し且つ１つ１つが互いに異なる独自性を備えたアナログチップと、このアナログチップを特定するアナログチップ番号（Ｔ）を備えた認証物と、前記アナログチップが有する前記被解析物を観測してチップ解析データ（Ｋａ）を生成する観測部と、前記アナログチップ番号（Ｔ）の情報を読み取る読み取り部と、
前記チップ解析データ（Ｋａ）から前記要素を抽出して符号化するそれぞれが異なる複数の符号化方法データ（ａ）と、前記観測部からの前記チップ解析データ（Ｋａ）と前記読み取り部からの前記アナログチップ番号（Ｔ）が入力される端末入力部を有する第１情報処理部と、前記第１情報処理部に接続される第２情報処理部とを備え、
前記第２情報処理部に前記第１情報処理部が情報網を介して接続される前記認証物の真贋を判定するコンピュータシステムであって、
前記第１情報処理部は、複数の前記符号化方法データ（ａ）の内の少なくとも一つの符号化方法データ（ａ）を有し、この符号化方法データ（ａ）によって前記チップ解析データ（Ｋａ）からチップ符号データ（Ｆ）を生成し、前記チップ解析データ（Ｋａ）から前記チップ符号データ（Ｆ）を生成した前記符号化方法データ（ａ）と、前記アナログチップ番号（Ｔ）と、前記チップ符号データ（Ｆ）とを有する符号データ群を情報網を介して前記第２情報処理部に出力し、前記第２情報処理部は、前記アナログチップ番号（Ｔ）に関連付けられたチップデータ（Ｔａ）を記憶するアナログチップデータベースを有し、前記第１情報処理部から前記符号データ群が送信されてくると、前記アナログチップデータベースから前記符号データ群の前記アナログチップ番号（Ｔ）に関連づけられた前記チップデータ（Ｔａ）を読み出し、このチップデータ（Ｔａ）と前記符号データ群の前記符号化方法データ（ａ）と前記符号データ群の前記チップ符号データ（Ｆ）とによって前記認証物の真贋を判定する真贋判定システムを有することを特徴とする前記コンピュータシステムとした。
【００１０】
本件第２の発明では、色彩・大きさ・位置・物性等の要素を有する被解析物と、前記被解析物を有し且つ１つ１つが互いに異なる独自性を備えたアナログチップと、このアナログチップを特定するアナログチップ番号（Ｔ）を備えた認証物と、前記アナログチップが有する前記被解析物を観測してチップ解析データ（Ｋａ）を生成する複数の観測方法の内の少なくとも一つの観測方法を備えた観測部と、前記アナログチップ番号（Ｔ）の情報を読み取る読み取り部と、前記観測部からの前記チップ解析データ（Ｋａ）と前記読み取り部からの前記アナログチップ番号（Ｔ）が入力される端末入力部を有する第１情報処理部と、前記第１情報処理部に情報網を介して接続される第２情報処理部とを有し、前記第２情報処理部に前記第１情報処理部が情報網を介して接続される前記認証物の真贋を判定するコンピュータシステムであって、前記第１情報処理部は、前記チップ解析データ（Ｋａ）からチップ符号データ（Ｆ）を生成し、前記アナログチップ番号（Ｔ）と、前記チップ符号データ（Ｆ）と、前記観測方法を特定する観測手段データ（Ａ）とを有する符号データ群を情報網を介して前記第２情報処理部に出力し、前記第２情報処理部は、前記アナログチップ番号（Ｔ）と観測手段データ（Ａ）とに関連付けられたチップデータ（Ｔａ）を記憶するアナログチップデータベースを有し、前記第１情報処理部から前記符号データ群が送信されてくると、前記符号データ群の前記アナログチップ番号（Ｔ）と前記観測手段データ（Ａ）とに関連付けられた前記チップデータ（Ｔａ）を前記アナログチップデータベースから読み出し、このチップデータ（Ｔａ）と前記符号データ群の前記チップ符号データ（Ｆ）とを照合して前記認証物の真贋を判定する真贋判定システムを有することを特徴とする前記コンピュータシステムとした。
【００１１】
本件第３の発明では、色彩・大きさ・位置・物性等の要素を有する被解析物と、前記被解析物を有し且つ１つ１つが互いに異なる独自性を備えたアナログチップと、このアナログチップを特定するアナログチップ番号（Ｔ）を備えた認証物と、前記アナログチップが有する前記被解析物を観測してチップ解析データ（Ｋａ）を生成する複数の観測方法の内の少なくとも一つの観測方法を備えた観測部と、前記アナログチップ番号（Ｔ）の情報を読み取る読み取り部と、前記チップ解析データ（Ｋａ）を符号化する複数の符号化方法データ（ａ）と、前記観測部からの前記チップ解析データ（Ｋａ）と前記読み取り部からの前記アナログチップ番号（Ｔ）が入力される端末入力部を有する第１情報処理部と、前記第１情報処理部に接続される第２情報処理部とを有し、前記第２情報処理部に前記第１情報処理部が情報網を介して接続される前記認証物の真贋を判定するコンピュータシステムであって、前記第１情報処理部は、複数の前記符号化方法データ（ａ）の内の少なくとも一つの符号化方法データ（ａ）を有し、この符号化方法データ（ａ）によって前記チップ解析データ（Ｋａ）からチップ符号データ（Ｆ）を生成し、前記チップ解析データ（Ｋａ）から前記チップ符号データ（Ｆ）を生成した前記符号化方法データ（ａ）と前記アナログチップ番号（Ｔ）と前記チップ符号データ（Ｆ）と前記観測方法を特定する観測手段データ（Ａ）とを有する符号データ群を情報網を介して前記第２情報処理部に出力し、
前記第２情報処理部は、前記アナログチップ番号（Ｔ）と観測手段データ（Ａ）とに関連付けられたチップデータ（Ｔａ）を記憶するアナログチップデータベースを有し、前記第１情報処理部から前記符号データ群が送信されてくると、前記符号データ群の前記アナログチップ番号（Ｔ）と前記観測手段データ（Ａ）とに関連付けられた前記チップデータ（Ｔａ）を前記アナログチップデータベースから読み出し、前記符号データ群の前記符号化方法データ（ａ）と前記チップデータ（Ｔａ）と前記符号データ群の前記チップ符号データ（Ｆ）とによって前記認証物の真贋を判定する真贋判定システムを有することを特徴とする前記コンピュータシステムとした。
本件第４の発明では、３次元空間における前記被解析物の特徴点の位置情報（座標）を前記チップ符号データ（Ｆ）とし、前記アナログチップデータベースに記憶された被解析物の３次元空間のおける位置情報が基準データとして記憶された前記チップデータ（Ｔａ）と照合して前記認証物の真贋判定行うことを特徴とする請求項１乃至請求項３のいずれかに記載の前記コンピュータシステムとした。
【００１２】
本件第５の発明では、前記第２情報処理部は、前記アナログチップ番号（Ｔ）に関連付けられたチップデータ（Ｔａ）を記憶するアナログチップデータベースを有し、前記第１情報処理部から前記符号データ群が送信されてくると、前記アナログチップデータベースから符号データ群の前記アナログチップ番号（Ｔ）に関連づけられた前記チップデータ（Ｔａ）を読み出し、このチップデータ（Ｔａ）から前記符号データ群の前記符号化方法データ（ａ）によってダミーデータ（ｆ）を生成し、このダミーデータ（ｆ）と前記符号データ群の前記チップ符号データ（Ｆ）とを照合して前記認証物の真贋を判定する真贋判定システムを有することを特徴とする請求項１及び請求項３のいずれかに記載の前記コンピュータシステムとした。
本件第６の発明では、前記観測部の精度を変更することが可能なことを特徴とする請求項１乃至請求項５のいずれかに記載のコンピュータシステムとした。
【００１３】
本件第７の発明では、前記第１情報処理部の前記チップ解析データ（Ｋａ）から前記チップ符号データ（Ｆ）を生成する前記符号化方法データ（ａ）を前記第１情報処理部の外からリモートコントロールで変更可能としたことを特徴とする請求項１もしくは請求項３乃至請求項６のいずれかに記載のコンピュータシステムとした。
本件第８の発明では、前記符号化方法データ（ａ）を自律的に出力する自律的符号化方法データ出力部を備え、前記第１情報処理部の前記チップ解析データ（Ｋａ）から前記チップ符号データ（Ｆ）を生成する前記符号化方法データ（ａ）を自律的に変更可能とすることを特徴とする請求項１もしくは請求項３乃至請求項６のいずれかに記載のコンピュータシステムとした。
本件第９の発明では、前記第１情報処理部に前記符号データ群の全部もしくは一部を暗号化する暗号化部を有し、前記第２情報処理部に暗号化された前記符号データ群を復号化する復号化部を有することを特徴とする請求項１乃至請求項８のいずれかに記載のコンピュータシステムとした。
【００１４】
本件第１０の発明では、請求項１乃至請求項９のいずれかに記載のコンピュータシステムによって真贋が判定される前記アナログチップと、このアナログチップを特定する前記アナログチップ番号（Ｔ）を備えことを特徴とする前記認証物とした。
本件第１１の発明では、アナログチップを特定する前記アナログチップ番号（Ｔ）が接触型ＩＣもしくは非接触型のＩＣチップから出力されることを特徴とする請求項１０に記載の前記認証物とした。
本件第１２の発明では、請求項１乃至請求項９のいずれかに記載のコンピュータシステムの第１情報処理部に接続される観測部とした。
本件第１３の発明では、請求項１乃至請求項９のいずれかに記載のコンピュータシステムにおける第１情報処理部とした。
本件第１４の発明では、請求項１乃至請求項９のいずれかに記載のコンピュータシステムにおける第２情報処理部とした。
【発明の効果】
【００１５】
本件第１の発明では、認証物が有する同じ被解析物であっても、符号化方法を変更することによってチップ符号データ（Ｆ）をまったく異ならせることができるので、異なる企業の認証物の真贋判定システム（認証システム）において、符号化方法を異ならせることによって認証システムを独自に構築することが可能となるコンピュータシステムが提供できる。
本件第２の発明では、アナログチップを複数の観測方法で観測可能な認証物の真贋判定システムを提供することが出来るので、多様なチップ符号データを１つのチップから得ることができる。
本件第３の発明では、複数の符号化方法、及び複数の観測方法によって多様なチップ符号データを１つのチップから得ることができる。
本件第４の発明においては、３次元チップを複製する事は非常な困難性を伴うことから、アナログチップの偽造防止に極めて有効であるという効果が得られる。
そして本件第１乃至第５の発明では、企業のシステムの回線を盗聴してアナログチップ番号（Ｔ）とチップ符号データ（Ｆ）とを不正に入手し、他の認証システムにおいて、不正に「なりすまし」を行おうとしても、盗聴したシステムで使用している符号化方法と異なれば盗聴されたデータであることが容易に識別されるので、極めて信頼性を高くすることが出来るという効果が得られる。
【００１６】
本件第６の発明においては、観測方法の精度を変更することによって異なる真贋判定システムの構築が可能となり、同じアナログチップを認証する場合であっても、廉価では有るがアナログチップの複製を排除するための認識精度が低い真贋判定システムを構築するか、高価では有るがアナログチップの複製を排除するための認識精度が高い真贋判定システムを構築するかを、必要に応じて決めることが出来ると言う効果を得ることができる。
【００１７】
本件第７の発明においては、符号化方法データ（ａ）を変更可能としたので、盗聴などによって符号データ群が盗まれたとしても、リモート信号によって、符号化方法データ（ａ）のアルゴリズムを変更してしまうと、その後は第２情報処理部によって「ＮＧ」偽物として判断されるので、所謂カード所有者に「なりすまし」て買い物など違法行為をしようとしても未然に防止することが可能である。
また、磁気カード等の不正利用である「なりすまし」等があった際には、カード所有者に連絡しカードを変更するなどの処置をとる必要があったが、本件発明ではカードを変更することなく、リモート信号を配信する事によって不正に対応しカードの不正使用等の犯罪を防止できるという今までにない効果が得られる。
【００１８】
本件第８の発明においては、符号化方法データ（ａ）を自律的に変更可能としたので、悪意のある者が情報網内でチップ符号データ（Ｆ）等を盗聴してカードの所有者になりすまそうとした場合に、符号化方法データ（ａ）が定期的或いは一定のアルゴリズムに基づいて変更されると、悪意の有る者はこの変更された符号化方法データ（ａ）と対応するチップ符号データ（Ｆ）を知り得ない限り正しい符号データ群を送信して「なりすまし」を行うことができないので、不正使用を防止することが可能となる効果が得られる。
本件第９の発明においては、アナログチップ番号（Ｔ）及びチップ符号データ（Ｆ）が情報網を通過する際に悪意のある者にデータを盗まれても、その内容は暗号化されているので解読するには非常な困難性を伴い、その解読の困難性によって不正が防止されると言う効果が得られる。
【００１９】
本件第１０の発明においては、請求項１乃至請求項８に記載の真贋判定システムで使用される、独自性を備えたアナログチップと、このアナログチップを特定するアナログチップ番号（Ｔ）を備えた認証物を提供することが出来る。
本件第１１の発明においては、アナログチップ番号を出力する手段として、ＩＣチップから出力される信号を採用し、カードの複製を制作することがより困難な認証物が提供できる。
本件第１２乃至１４に記載の発明においては、請求項１乃至請求項８に記載のコンピュータシステムにおける、観測部、第１情報処理部、第２情報処理部を夫々提供することが出来る効果が得られる。
【発明を実施するための最良の形態】
【００２０】
本発明は認証物の真贋判定システムに係り、それぞれが独自のパターンを有するアナログチップと、このアナログチップを用いることによって、認証方法の異なる複数の真贋判定システムへのアクセスを１つの認証物で行える真贋判定システムを構築することを可能とする。
【実施例１】
【００２１】
まず、アナログチップ（チップ）に関する用語について説明する。
【００２２】
１．アナログチップとは、被解析物を有し、１つ１つが互いに異なる独自のパターンによる独自性を有している識別子である。
【００２３】
２．被解析物とは、アナログチップに配置された図形、或いは物質であって、平面（２次元）若しくは立体（３次元）の構造を備えている。
【００２４】
３．被解析物の要素とは、被解析物の形、色彩、大きさ、位置、物性等の抽出される対象を言う。
【００２５】
４．２次元アナログチップ（２次元チップ）とは、印刷など塗料で描かれた平面形状の被解析物（図形・物質）を有するアナログチップの一種である。
【００２６】
５．３次元アナログチップ（３次元チップ）とは、立体的な構造を有する被解析物（図形・物質）を備えているアナログチップの一種である。
なお、３次元アナログチップは、観測部の観測方法により２次元として分類される場合がある。
言い換えれば、ある３次元チップを観測する際に、通常のカメラを使用する観測部に於いては２次元であるが、立体的な構造が解析可能な観測部（ステレオカメラ等）においては３次元として処理することが可能である。
【００２７】
６．チップ情報とは、チップを観測する観測部からのデータであるチップ解析データ（Ｋａ）の概念と、被解析物の要素が符号化されたチップ符号データ（Ｆ）の概念とを包含する上位概念である。
【００２８】
７．計測点とは、チップを解析する際、及び、チップを符号化する際に基準となる点である。
８．位置決め部とは、チップの位置を特定するための方法であって、チップを物理的に位置決めする機構、若しくは、フォトカプラ等を利用してチップの位置を検出する機構等であって、コストなどを勘案して様々な方法が採用可能である。
【００２９】
９．チップデータ（Ｔａ）とは、後述のアナログチップＤＢに予め記憶されている真贋判定の際の基準となるデータである。１０．フレーミングとは、抽出された要素を条件に従ってラインで結びフレーム図形を描くことを言い、３次元の構造の有するチップの場合は、高さの情報を備えたフレーム図となる。
【００３０】
以下に、アナログチップ（チップ１）の解析と符号化に係る第１の実施例を図１から図６に基づいて説明する。
図１に示された本実施例のチップ１の特徴は、様々な要素を備えた被解析物が、ランダムにベースに配置されている点にある。
【００３１】
チップ１は、被解析物が配置される中間色を備えたベース３を備えたアナログチップであり、このベース３は、列Ｘ１からＸ１０と、行Ｙ１からＹ６のグリッドに区分される。  ベース３には、不定形図形５ａから５ｄ、四角形図形６ａから６ｅ、円形図形７ａから７ｉの被解析物が配置され、これら各図形において斜線で塗りつぶした図形は赤色、白抜きの図形は青色を示している。
【００３２】
また、チップ１の計測点８はチップの４角とされ、この４角の計測点からグリッド及び被解析物の位置が求められる。
なお、画像の自動認識の方法については、特許第２６４４８１２号等が知られており様々な画像の自動認識技術が採用可能である。
なおこの計測点は、チップの４角に限られるものではなく、任意に特定の図形等を計測点とすることが可能である。
【００３３】
次に、このチップ１のチップ解析データ（Ｋａ）と、該チップ解析データ（Ｋａ）を符号化したチップ符号データ（Ｆ）について説明する。
その概略は、アナログチップ１を観測手段（Ａ）で観測するとチップ解析データ（Ｋａ）が得られ、次にこのチップ解析データ（Ｋａ）を符号化方法データ（ａ）で符号化するとチップ符号データ（Ｆ）が得られる。
【００３４】
まず、チップを観測する観測部の予め規定された観測手段（Ａ）の例を表１に示す。
なお、観測手段データ（Ａ）とは、アナログチップを観測する観測部の性能及び観測方法を特定するための記号である
【００３５】
【表１】
0004395660.tif 000002
【００３６】
次に、観測手段によって得られた、チップ解析データ（Ｋａ）を符号化する符号化方法データ（ａ）と、符号化方法の関係を表２に示す。
なお、符号化方法データ（ａ）とは、後述の観測部６１からのチップ解析データをアナログからデジタルに変換する手段を含む符号化方法のアルゴリズムを特定するための記号である。
【００３７】
【表２】
0004395660.tif 000003
【００３８】
更に、図１から図６に示すチップ符号データ「Ｆ１」から「Ｆ６」に対する、観測手段データ（Ａ）と、チップ解析データ（Ｋａ）と、符号化方法データ（ａ）の関係を以下の表３に示す。
なお、チップ符号データ（Ｆ）とは、アナログチップを観測手段で観測して得られたチップ解析データ（Ｋａ）を符号化方法データ（ａ）のアルゴリズムで符号化して得られるデータである。
【００３９】
【表３】
0004395660.tif 000004
【００４０】
この表に示されている符号化方法の内容を、図１から図６に示されたアナログチップ１ａに基づいて説明する。
まず、図１は、アナログチップ１ａの平面図と、このアナログチップ１ａを、フルカラーの観測装置で観測して得られたチップ解析データ「Ｋａ１」と、符号化方法データ「ａ１」（全情報を抽出）で符号化されたチップ符号データ「Ｆ１」の図を兼ねている。
さて、前記表３の第１行に示されたチップ符号データ「Ｆ１」を得るための符号化方法を更に説明すると。
第１の段階で、アナログチップ１ａを観測し、この時の観測手段データ「Ａ１」は、チップ１ａの要素の「全情報」（本実施例では、フルカラーのイメージデータ）であるので、チップ解析データ「Ｋａ１」が得られる。
第２の段階で、観測手段「Ａ１」によって得られたチップ解析データ「Ｋａ１」を符号化する。この段階の符号化方法データ「ａ１」の内容は、データの全情報を抽出する事である。
【００４１】
この２つの段階を経て、アナログチップ１ａは図１に示すチップ符号データ「Ｆ１」に符号化される。従って、この符号化方法ではチップ解析データ「Ｋａ１」と、チップ符号データ「Ｆ１」とは同一になる。
つまり図１はチップ１ａそのものを表すと同時に、チップ解析データ「Ｋａ１」とチップ符号データ「Ｆ１」の情報を表していることになる。
従って、この符号化方法データ「ａ１」（全情報を抽出）のみを採用する認証システムを構築することも可能である。
このことは、この符号化方法データ「ａ１」（全情報を抽出）のみを採用する簡易化した認証システムシステムを、本件発明の真贋判定システムに組み込むことが可能であることをも示している。
【００４２】
次に、表３及び図５に示すチップ１ａを符号化したチップ符号データ「Ｆ５」について説明すると。
第１の段階（チップを観測してチップ解析データを生成する）において、チップ１ａを観測する観測手段データ「Ａ１」は要素の全情報の抽出であるので、チップ解析データ「Ｋａ１」が得られる。
第２の段階では、第１の段階で得られたチップ解析データ「Ｋａ１」を符号化する。この時の符号化方法データのアルゴリズムは、まず「ａ２」（赤い図形を抽出）し、「ａ４」（円形図形を抽出）し、更に、「ａ７」（選択された図形の重心をフレーミング）である。
前記、２つの段階によってフレーム図形９ｂを備えたチップ符号データ「Ｆ５」が得られる。
【００４３】
更に、表３及び図６に示すチップ符号データ番号「Ｆ６ａ」の符号化のプロセスについて説明する。
第１の段階で、図６に示すチップ符号データ「Ｆ６ａ」の観測手段は「Ａ３」の（赤色を除外するフィルターを使用）であるので、赤色以外の色の要素を備えた図形が抽出され図３に示すチップ解析データ「Ｋｃ１」が得られる。
第２の段階では、符号化方法データは、まずこのチップ解析データ「Ｋｃ１」を「ａ４」（円形図形を抽出）で符号化し、更に「ａ７」（抽出された図形の重心をフレーミング）の符号化を行う。
前記２つの段階によって、フレーム図形９ｃを備えたチップ符号データ「Ｆ６ａ」が得られる。
他のチップ符号データである「Ｆ２」「Ｆ３」「Ｆ４」に関しても、上記の符号化方法と同様なので具体的な説明は省略する。
【００４４】
次に要素の位置情報を、チップ符号データとする場合の符号化方法を図１に基づいて説明する。
第１の段階は、観測手段データ＝Ａ１（全情報）とし、チップ解析データ「Ｋａ１」を得る。
第２の段階は、符号化方法データ＝ａ２（赤い図形を抽出）＋ａ４（円形図形を抽出）＋ａ８（抽出された図形の位置情報を検出）として、
上記の条件で、チップ符号データを求めると、円形図形の位置は円形図形７ａ（Ｘ８・Ｙ５）図形７ｃ（Ｘ１・Ｙ５）図形７ｇ（Ｘ４・Ｙ２）図形７ｈ（Ｘ８・Ｙ１）であって、この位置情報を、チップ符号データとすることができるのである。
即ち、本実施例の符号化方法のシステムのチップ符号データ「Ｆ」は、
「Ｆ７」＝「（Ｘ８・Ｙ５）、（Ｘ１・Ｙ５）（Ｘ４・Ｙ２）（Ｘ８・Ｙ１）」
とする事ができる。
【００４５】
この符号化方法において、図形を抽出する順番は、ジグザグにスキャンする等の方法等もあるが、本実施例では行Ｙ６の右から左にサーチし、行端まできたら次の行も右端からサーチし最後に（Ｘ１・Ｙ１）のグリッドに至るスキャン方法を採用した、従ってスキャンする順序を変えることによっても、実施例とは異なるチップ符号データ「Ｆ」を簡単に得ることができる。
【００４６】
この符号化方法においては、チップ符号データ「Ｆ」を各要素の位置情報を文字情報で表しているので情報量を小さくすることができる点である。
また、例えば赤の要素と不定形図形の要素を選択し、その図形が係るグリッドの数をチップ符号データとすることもでき、更に、任意の色彩の要素と図形の要素とを備えた図形を抽出し、その図形の数をチップ符号データとする等、様々に表現可能な符号化方法を任意に選択することが可能である。
【００４７】
このように、被解析物の要素（形、大きさ、色彩）のスキャンの順番、要素の面積、要素の数、要素をフレーミングしたフレーム図等の、複数の符号化方法、及び複数の観測方法によって多様なチップ符号データを１つのチップから得ることができる。
【００４８】
本実施例においては、ベース３は中間色としたが要は被解析物を解析可能とする事を目的とするので、どのような色彩でも任意に選択することが可能で、透明であっても良い。      
【００４９】
また、チップ１ａを２次元的に説明したが、ベース３を透明とし各要素が３次元空間に存在する３次元チップであっても本実施例の符号化方法が採用可能であることは言うまでもない。
【００５０】
また、円形の図形７ａから７ｉ、四角形の図形６ａから６ｅは種別を備えた図形であるが、その配置される位置は不定であって、ランダムに配置されている。しかし３次元の構造とする場合には上から自由落下させて付着させる等の方法で配置されても良いし、アクリル樹脂等の樹脂の粉体に被解析物を混ぜておいてメチルメタクリレート等の溶剤で固化させても容易に被解析物がランダムに分布するアナログチップを得ることが出来る。
【００５１】
なおこれらの図形は被解析物の一例であって、様々な形状、大きさ、及び、色彩若しくは磁性を備えた、多様な物質を被解析物として採用が可能なことは言うまでもない。
また、チップを３次元構造にすると、悪意のあるものがチップをコピーしようとしても、３次元構造をコピーすることは非常に困難であるので偽造を抑止する効果が得られる。
【実施例２】
【００５２】
第２の実施例のチップの構成と符号化方法について、以下の図７から図１２に基づいて説明する。
【００５３】
なお、本実施例の図に付与された記号などが前述の実施例と同一のものは、特に説明のあるものを除いてその機能効果は同一であるので説明を省略する。
本実施例の特徴は、図１０に示すアナログチップ１ｂの被解析物に対応する図９（Ａ）から（Ｃ）に示す符号表５１から符号表５３を備えることによって、符号化している点にある。
【００５４】
本実施例のアナログチップ１ｂは、横方向を示すＸ軸と、縦方向を示すＹ軸と、高さを示すＺ軸を備え、図形情報５１が現れる切断面の模様がＺ軸方向に連続して設けられた３次元チップ５０に形成されている（所謂、金太郎飴の形状）。
【００５５】
この３次元チップ５０の製造方法の一つについて図７に基づいて説明する。
この３次元チップは、図７に示すように被解析物４４が透明な基材４８内部にＺ軸方向に連続して設けられた被解析物バー４５と、この被解析物バー４５を集束した集束バー４６ａから４６ｃが、それぞれ異なるパターンを備えるように形成されている。
【００５６】
この集束バー４６ａから４６ｃをカットする事によって、端片４７ａから４７ｃを得る。
更にこれら端片４７ａ乃至４７ｃを一つのチップに形成すると３次元チップ５０が得られる。
【００５７】
この時、集束バー４６から、同一のチップ符号データを備えた端片４７が複数作成可能な点を利用して、例えば、端片４７に消費者信用業界に属する金融機関の店舗番号などの具体的な個別情報を持たせることも可能である。
【００５８】
また、異なるパターンの端片４７を３枚集めて一つのチップに形成した後は、この組み合わせを避けて、図示しない独自の被解析物の配置を備えた端片を組み合わせてチップを形成することで、異なる被解析物の配置の３次元チップを容易に量産することができる。      
【００５９】
次に、本実施例における３次元チップの視認性について説明する。
まず、図８・（Ｂ）に示すように３次元チップを斜め上方から見ると、被解析物の側面が見えるので光の透過が少なく、次に３次元チップを図８・（Ａ）に示すように垂直方向から見ると被解析物の断面形状が見えるので、チップ後方からの光が透明な基材４８を通して多く透過するので、斜めに観測した場合と垂直に観測した場合とでは光の量が変化することに着目すると容易に３次元構造を備えていることが確認できる。
【００６０】
このように、肉眼でも間単に３次元構造であることが確認できる
本実施例におけるアナログチップは、被検出物の構造がＺ軸に連続する事により肉眼で３次元構造であることが容易に確認できる事からチップの簡易的な認証方法に利用することができる。
なお、この３次元構造の視認性を高くする方法は本実施例の方法に捕らわれず、物質屈折率の違いを利用するもの等様々な方法を採用することが可能である。
【００６１】
次に、本実施例の符号化方法について、図９から図１２に基づいて説明する。
この実施例のチップ解析データ「Ｋｂ１」の観測手段データは、観測部（カメラ）で撮影（解析）された要素の全情報（本実施例では、フルカラーのイメージデータ）「Ａ１」であり、チップ解析データ「Ｋｅ１」の観測手段データは「Ａ３」であり、チップ解析データ「ｋｆ１」の観測手段データは「Ａ２」である。
また、本実施例の符号化方法の特徴は、図形情報に付与番号等を割り振って文字列としてチップ符号データを表現することが可能な点にある。
【００６２】
下記表４は、符号化方法と符号化方法データ（ａ）との関係を示す符号表である。
【００６３】
【表４】
0004395660.tif 000005
【００６４】
前記表４の符号化方法データについて説明すると。
図９・（Ａ）は、図形情報５１ａに対して割り振られる付与番号５７を示す符号表５１であって。例えば、三角形の図形の付与番号は「１」でこの付与番号が、三角形の符号となる。この時の符号化方法データ（ａ）は表４の「ａ９」である。
また、図９（Ｂ）は、目視で付与番号を読み取ることを可能とするために、図形情報を数の形である数形情報５２ａとして表したものであって、この時の符号化方法データは表４の「ａ１０」である。
図９（Ｃ）の上段は、チップ解析データである図形情報を符号化する際に、符号化に係る付与番号５７を変更することにより、チップ符号データが変更されることを説明するための図であり、下段は、数を示す数形状報を単に図形情報として扱って形状が表す数とは異なる付与番号を設けることができることを示す図であって、この時の符号化方法データは表４の「ａ１１」である。
【００６５】
即ち、図９・（Ａ）から（Ｃ）は、それぞれ異なった付与番号５７を有する符号表５１から５３を表している。従って、チップを符号化する際には符号化方法データ（ａ）を変更するだけでアナログチップから得られるチップ符号データ（Ｆ）を変更することが可能であることを示している。
例えば、図９（Ａ）の符号表５１で符号「１」が付与された三角形は、図９（ｃ）の符号表５３では「３」が付与されるのである。
従って、同じ被解析物であっても、符号化方法を変更することによってチップ符号データ（Ｆ）をまったく異ならせることができるのである。
【００６６】
このことは、異なる企業のカードの認証システムにおいて、符号化方法を異ならせることによって真贋判定システムを独自に構築することが可能となるとともに、例えば、ある企業のシステムの回線を盗聴してアナログチップ番号（Ｔ）とチップ符号データ（Ｆ）とを不正に入手し、他の認証システムにおいて、不正に「なりすまし」を行おうとしても、認証システムで使用している符号化方法と異なれば盗聴されたデータであることが容易に識別されるので、極めて信頼性を高くすることが出来るという効果が得られる。
【００６７】
次に、３次元チップ５０の符号化例を図１０に基づいて説明する。
図１０の（Ａ）はアナログチップを解析した色彩情報を備えたチップ解析データ「ｋｄ１」であって、塗り潰された図形情報５１ａは色彩が赤であることを示し、輪郭線のみで示された図形情報は色彩が青であること示し、Ｙ１からＹ４は行番号を示し、Ｘ１からＸ１２までは列番号を示している。
また、この図１０はチップ解析データ「Ｋｂ１」を、符号化方法データ「ａ１」によって全情報を抽出して符号化したチップ符号データ「Ｆ７」である。
図１０の（Ｂ）は、表４の符号化方法データ「ａ９」に基づいて符号表５１によって被解析物に番号が付与されたチップ符号データ「Ｆ１０」である。
このチップ符号データ「Ｆ１０」においては、符号化方法データ「ａ１」（全情報を抽出）に基づいて図形情報の全ての要素が符号化されている。
図１０・（Ｃ）は、表４の符号化方法データ（ａ１２）の「Ｙ４行のデータを抽出」に基づいて番号を付与したチップ符号データ「Ｆ１１」である。
【００６８】
次に、図１０のアナログチップ１ｂの解析方法を変えた際に得られるチップ符号データ（Ｆ）の例を図１１及び図１２に基づいて説明する。
本実施例のチップ符号データを求める方法は様々であるが、代表的な方法について説明する。
まず、図１１・（Ａ）は、図１０・（Ａ）に示された、チップ解析データ「Ｋｄ１」を、表２のチップ符号化方法データ「ａ３」（青い図形を抽出）によって符号化したチップ符号データ「Ｆ８ａ」である。
図１１・（Ｂ）は、該チップ符号データ「Ｆ８ａ」を、更に符号化方法データ「ａ９」で符号化したチップ符号データ「Ｆ１２ａ」である。
【００６９】
又、図１２・（Ａ）は、表１に示す観測手段データ「Ａ２」のフィルターによって青の図形情報が除外されたチップ解析データ「Ｋｆ１」と、符号化方法によって符号化されたチップ符号データ「Ｆ８ａ」とを示し、図１２（Ｂ）はチップ解析データ「Ｋｆ１」を符号表５１によって符号化したチップ符号データ「Ｆ１３ａ」を示す。
【００７０】
本実施例においては、行や部分を選択することによりチップ符号データとしてもよく、例えばチップ符号データのＹ４行のみでチップ符号データ「Ｆ」となる。（前述の表１から表３の内容に準ずる。）
観測手段データ「Ａ１」＋符号化方法データ「ａ１」＋「ａ１２」
＝２１３７１２２８６４１５（図１０（Ｂ）Ｙ４行参照）「Ｆ１４」
観測手段データ「Ａ３」＋符号化方法データ「ａ１」＋「ａ１２」
＝１３１２８６１（図１１（Ｂ）Ｙ４行参照）「Ｆ１５」
観測手段データ「Ａ２」＋符号化方法データ「ａ１」＋「ａ１２」
＝２７２４５（図１２（Ｂ）Ｙ４行参照）「Ｆ１６」
となり、一つのアナログチップから異なるチップ符号データが容易に得られるのである。
【００７１】
本実施例のチップの、観測手段が全情報を検出する場合において、符号化方法データを変更した際に得られるチップ符号データ「Ｆ１」のＹ４行の具体例は、
符号表５１の場合：２１３７１２２８６４１５（図１０（Ｂ）Ｙ４行参照）「Ｆ１４」
符号表５３の場合：１３６５３１１２７８３９（図１１（Ｃ）参照）「Ｆ１７」
である。
【００７２】
これらのデータを整理して以下の表５に示す。
【００７３】
【表５】
0004395660.tif 000006
【００７４】
本実施例においては、１つのチップからチップ符号データ「Ｆ」を得る際に、図９に示すように符号表５１から符号表５３に符号化方法を変更することによって独自のチップ符号データが得られ、更に、観測手段を変えることによっても独自のチップ符号データが得られるものである。
本実施例においても、アナログチップ１のチップ符号データを得る際に、観測手段を変更することによっても、符号化方法を変更することによっても容易に異なるチップ符号データ「Ｆ７」から「Ｆ１７」を得ることができるのである。
【００７５】
このチップ符号化データを得る際に、色彩の要素を抽出し、その色彩を備えた図形の数を符号化情報とすることもできる。
また、色彩の要素と図形の要素を選択（例、赤・三角）し、その図形の数を符号化情報とする等様々な符号化方法を任意に選択することが可能である。
【００７６】
本実施例のチップは、解析方法によっては２次元チップと同様に扱うことが可能で、また、相対的な位置関係や向きの分かっているカメラ（ステレオビジョン）等の観測部で撮られた複数枚（通常は２枚。）の画像をチップ解析データ（Ｋａ）とし、このチップ解析データ（Ｋａ）を３次元座標上に再構成する符号化方法データ（ａ）によってチップ符号データを得ることも可能である。
【００７７】
この３次元座標上に再構成する符号化方法において、透明の基材４８の部分を空間として扱うと、被解析物４４が柱状に立ち並んでいることをチップ情報とする事が可能である。
このとき、被解析物を観測して３次元空間における被解析物の特徴点の位置情報（座標）をチップ符号データ（Ｆ）としても良く、このような特徴点の座標を得る手段としては、予め位置関係が決められた３次元空間の中の複数の参照点に計測点８を採用して３次元位置を推定する方法が知られている。
具体的には、このような３次元空間における点の座標を求める方法の一つに特許３０２０８９８号等が知られている。
【００７８】
従って、この３次元のチップ情報をチップ符号データ「Ｆ」に採用し、アナログチップＤＢに記憶された被解析物の３次元空間のおける位置情報が基準データとして記憶されたチップデータ「Ｔａ」とを照合して真贋判定行うシステムとすることも可能で、このような構造のチップ情報を有する３次元チップを複製する事は非常な困難性を伴うことから、チップの偽造防止にきわめて有効である。
【実施例３】
【００７９】
次に、第３の実施例である２つの異なるパターンのメッシュを重ね合わせたさいに生じる形状（モアレ縞）を利用したメッシュ構造２０を有するアナログチップ１Ｃを図１３から図１６に基づいて説明する。
なお、本実施例の図に付与された記号などが前述の実施例と同一のものは、特に説明のあるものを除いてその機能効果は同一であるので説明を省略する。
【００８０】
まず、本実施例の、アナログチップ１ｃは、メッシュを重ねて樹脂で固化した構造をしているので、このアナログチップ１ｃは観測部の性能によって２次元構造のチップとして扱うことも、３次元構造のチップとして扱うことも可能である。
本実施例の、独自の構造を有するアナログチップ１ｃの製造は容易であって、更にメッシュ構造が重ね合わされた３次元構造を有するので、撮影によってなされる偽造（コピー）を３次元計測によって容易に発見することができる。
【００８１】
図１３は、アナログチップ１Ｃのチップ解析データ「Ｋｇ１」であって、また、チップ解析データ「Ｋｇ１」を符号化方法データ（ａ１）「全情報を抽出」で符号化したチップ符号データ「Ｆ１４」をも表している。この図で実線で示されているのは赤色のメッシュの繊維であって、破線は青色のメッシュの繊維を示している、ただし外枠の実線は黒色であって、この外枠の４角が計測点とされている。
【００８２】
図１４・（Ａ）は、観測手段データ「Ａ２」の青色を除外するフィルターを使用して得られたチップ解析データ「Ｋｈ１」であり、図１４・（Ｂ）は観測手段データ「Ａ３」の赤色を除外するフィルターを使用して得られたチップ解析データ「Ｋｉ１」である。
このように観測手段データを変更することによって、異なるチップ解析データ（Ｋａ）が得られる。更に、これら解析データの全情報を符号化する事により容易に異なるチップ符号データ「Ｆ１５」・「Ｆ１６」が得られ、更に、図１５に示す、メッシュ符号表５４を用いてチップ符号データ（Ｆ）を得ることが可能である。
【００８３】
メッシュ符号表５４には、本実施例の代表的なメッシュ図形の構造として、三角形から８角形までの図形がＡからＦに分類されている。
例えば、図１４・（Ａ）に示すチップ解析データ「Ｋｈ１」から、図１５のメッシュ符号表５４の「Ｃ」（５角形）を抽出して、その抽出された図形の配置をチップ符号データとすると、図１６に示すチップ符号データ「Ｆ１７」が得られる。
【００８４】
このように本実施例のメッシュ構造を備えたアナログチップによっても、多様なチップ情報を得ることができるものである。
【００８５】
なお本発明において、要素を除外、或いは抽出する（例、青色のデータ）際に、観測部にフィルターを設け特定の物質の要素を抽出する方法を記載したが、このようなフィルターにとらわれず、例えば赤外線を照射して赤外線で可視の被解析物の要素を抽出する方法等を採用することも可能であって、これら観測手段は任意に決められ、それぞれの手段には異なった作用効果がある。
【００８６】
例えば、観測部に特殊な観測方法を用いる場合には、アナログチップＤＢ６６内に対応するチップデータ「Ｔａ」を記憶しておく必要が生じるが、真贋判定システムの安全面に関すれば観測部が特殊であることは、観測部の偽造がより困難になるという側面が期待できるのである。
【００８７】
さらに、チップの構造として透明な基材の中に被解析物を練り込んで、被解析物が３次元にランダムに分布するアナログチップを作成し、そのアナログチップ内の被解析物を公知の３次元形状計測システムによって解析し、被解析物の位置情報をチップ符号データとすることも可能であるし、被解析物の位置情報をフレーミングしてフレーム図をチップ解析データとしても良いので、透明な基材の中に多様な被解析物を練り込むことによって、観測手段（Ａ）及び符号化方法データ（ａ）を認証システム毎に独自に設定して、各認証システムが独自の認証システムを構築し独立性を確保できる。
また、被解析物に様々な物性を備えた物質を採用しても良く、例えば、特定元素を有する磁気記憶媒体等も採用が可能である。
このようなアナログチップは、被解析物が３次元状にランダムに分布していることから、同一のものを偽造しようとしてもきわめて困難であって、不正使用を防止することが可能である。
【００８８】
上記各実施例において、異なるタイプのアナログチップを記載したが、これらアナログチップの特性を考慮して、タイプの異なるアナログチップを合わせて用いても良いことは言うまでもない。
【００８９】
また本発明では、異なる企業のカードの認証システムにおいて、符号表を異ならせることによって独自の真贋判定システムを容易に構築することが可能であるので、例えば、ある企業のシステムの回線を盗聴してチップのデータを得ても、他の企業のシステムではまったく通用させることができないので、真贋判定システムの信頼性と独立性を高くすることが出来るという効果が得られる。
【実施例４】
【００９０】
ここまで、アナログチップの解析と符号化の方法について説明したが、以下に本実施例における、アナログチップを利用する真贋判定システムについて図を参照して説明する。  なお、本実施例の図に付与された記号などが前述の実施例と同一のものは、特に説明のあるものを除いてその機能効果は同一であるので説明を省略する。
【００９１】
従来、ネットワーク社会において、ＩＣカード等を利用する真贋判定システムが数多く開示されている。
この従来の技術は非常に優れたものであるが、これらの技術はＩＣ等に記憶されたデジタルデータを読み出すことによってＩＣを備えた認証物の真正性を確認していた。
【００９２】
これに対し本実施例では、色彩、素材、大きさ、形状などのアナログチップが持つ多様性に着目して膨大な情報を有する要素を解析し、更に符号化することにより、セキュリティのレベルにあわせて、高度なセキュリティレベルにも対応することが可能なアナログチップを用いた真贋判定システムを提案する。
【００９３】
まずアナログチップのカード真贋判定システムの１実施例を図１７から図２０に基づいて説明する。
本実施例に示す真贋判定システムの最も大きな特徴は、チップ解析データ「Ｋａ」を符号出力部７８で符号化する際のアルゴリズムである符号化方法データ（ａ）をリモートによる遠隔操作若しくは自立的に変更可能とした点にある。
なお、本実施例の図に付与された記号などが前述の実施例と同一のものは、特に説明のあるものを除いてその機能効果は同一であるので説明を省略する。
【００９４】
まず、本実施例の真贋判定システムの概略について、図１７に基づいて説明する。
まず、認証物４は、識別子のＩＤであるアナログチップ番号（Ｔ）を視覚的に表示するチップ番号表示２とバーコードで表示するバーコード２７と、アナログチップ１とを備えた認証物４と、
この認証物４のバーコード２７のアナログチップ番号（Ｔ）の情報を読み取るバーコードリーダ６０（読み取り部）と、位置決め部４０によって位置が特定されたアナログチップ１と、このアナログチップ１を観測する観測部６１と、第１情報処理部６２ａと第２情報処理部９０ａとを備えている。
本実施例の前記情報処理部の第１情報処理部６２ａと第２情報処理部９０ａとは情報網１００を介して接続されている。
【００９５】
第１情報処理部６２ａには、端末入力部７２と、チップ情報記憶部６３と、チップ解析データ（Ｋａ）をチップ符号データ（Ｆ）に変換するアナログチップ符号化部７６と、出力部８２とを有し、情報網１００を介して符号データ群８４を第２情報処理部９０ａに送信する。
【００９６】
第２情報処理部９０ａには、情報網１００から送られてきた符号データ群８４が入力される入力部８３と、該符号データ群８４のデータと図示されないアナログチップＤＢ６６からのデータとを照合して真贋を判定する符号判定部８５と、その判定結果を記憶する判定情報記憶部８６とを有している。
【００９７】
次に、本実施例の真贋判定システムにおける第１情報処理部６２ａの役割について図１８及び図１９に基づいて説明する。
なお、図１７に示す本実施例のアナログチップ符号化部７６には７６Ａと７６Ｂの２つのタイプのシステムが存在する。
【００９８】
まず、図１８に示す第１情報処理部６２ａ−１のアナログチップ符号化部７６Ａの特徴は、リモート符号化方法データ出力部７７を有し、外部から送られてくるリモート符号化方法データ（Ｒ）によって、チップ解析データ（Ｋａ）を符号化する際の符号化方法データ（ａ）を変更可能としている点にある。
【００９９】
又、図１９に示す第１情報処理部６２ａ−２のアナログチップ符号化部７６Ｂの特徴は、自律的符号化方法データ出力部８８を備え、第１情報処理部６２ａ−２自体でチップ解析データ（Ｋａ）を符号化する際の符号化方法データ（ａ）を変更する事ができる点にある。
【０１００】
そこで先に、図１８に基づいて符号化方法データ（ａ）をリモートで変更可能な実施例について更に説明する。
第１情報処理部６２ａ−１には、観測部（カメラ）、アナログチップ番号（Ｔ）の読み取り部であるバーコードリーダ６０、図示されないキーボード、ポインティングデバイス等の入力機器からの信号が入力される端末入力部７２と、チップ情報記憶部６３と、アナログチップ符号化部Ａと、出力部８２とを有している。
【０１０１】
このチップ情報記憶部６３には、観測部６１の精度や観測方法等が特定できる観測手段データ（Ａ）と、アナログチップ番号（Ｔ）とチップ解析データ（Ｋａ）が記憶され、このうち観測手段データ（Ａ）及びアナログチップ番号（Ｔ）は、出力部８２を介して符号データ群８４の一部として情報網１００に出力される。
一方、チップ解析データ（Ｋａ）は、符号出力部７８でリモート符号化方法データ出力部７７から出力される符号化方法のアルゴリズム（ａ）によって符号化されてチップ符号データ（Ｆ）として出力部８２を介して符号データ群８４の一部として情報網１００に出力されている。
【０１０２】
さて、本実施例におけるリモート信号７３（Ｒ）を真贋判定システムを管理する第２情報処理部９０ａ側において記録しておくと、第１情報処理部６２ａから第２情報処理部９０ａに送信されてくる符号化方法データ（ａ）が、リモート信号（Ｒ）によって変更された符号化方法データ（ａ）であることを認証することが可能となり、ひいては送信してきた第１情報処理部６２の真正性を確認する一つの手段とすることが出来る。
【０１０３】
このリモート信号７３（Ｒ）によって、リモート符号化方法データ出力部７７から出力される符号化方法データ（ａ）を第２情報処理部９０側から遠隔操作で変更する事を可能としているので、出力部８２から情報網１００を介して符号データ群８４が通信される際に、盗聴などによって符号データ群が盗まれたとしても、リモート信号７３によって、符号化方法データ（ａ）のアルゴリズムを変更してしまうと、その後は第２情報処理部９０内の符号判定部８５によって「ＮＧ」偽物として判断されるので、所謂カード所有者に「なりすまし」て買い物など違法行為をしようとしても未然に防止することが可能である。      
【０１０４】
従来磁気カード等の不正利用である「なりすまし」等があった際には、カード所有者に連絡しカードを変更するなどの処置をとる必要があったが、本実施例ではカードを変更することなく、第２情報処理部９０側からリモート信号７３（Ｒ）を配信する事によって不正に対応する事によって、カードの不正使用等の犯罪を防止できるという今までにない効果が得られる。
【０１０５】
次に、符号化方法データ（ａ）の変更方法が異なるアナログチップ符号化部Ｂを備えた実施例を図１９に基づいて説明する。
本実施例では、前記実施例のリモート符号化方法データ出力部７７に変えて、自律的符号化方法データ出力部８８を有する点で異なるので、その点について説明する。
本実施例では、符号化方法データ（ａ）を定期的或いは一定のアルゴリズムに基づいて自律的に変更する自律的符号化方法データ出力部８８によって出力し、この符号化方法によって符号出力部７８を制御してチップ解析データ（Ｋａ）をチップ符号データ（Ｆ）に変換する。
【０１０６】
この図１９に示された第１情報処理部６２ａ−２の構成の効果は、符号化方法データ（ａ）が自律的符号化方法データ出力部８８によって定期的或いは一定のアルゴリズムに基づいて変更されるので、悪意のある者が情報網１００内でチップ符号データ等を盗聴してカードの所有者になりすまそうとした場合に、符号化方法データ（ａ）が定期的或いは一定のアルゴリズムに基づいて変更されると、悪意の有る者はこの変更された符号化方法データ（ａ）と対応するチップ符号データ（Ｆ）を知り得ない限り正しい符号データ群８４を送信して「なりすまし」を行うことができないので、不正使用を防止することが可能となるのである。
【０１０７】
次に、第１情報処理部６２ａから情報網１００を介して送信されてきた符号データ群８４を処理する第２情報処理部９０ａについて図２０に基づいて説明する。
第２情報処理部９０ａは情報網１００を介して送信されてくる符号データ群８４を受信する入力部８３と、アナログチップの真贋を判定する符号判定部８５と、観測手段（Ａ）毎にアナログチップ番号（Ｔ）に対応するチップデータ（Ｔａ）を記憶するアナログチップデータベースであるアナログチップＤＢ６６と、符号判定部８５による結果を記録する判定情報記憶部８６とを備えている。
【０１０８】
まず、入力部８３に符号データ群８４が受信されると、この符号データ群８４の観測手段データ「Ａ１」とアナログチップ番号のデータ「Ｔ２３８」とがアナログチップ番号処理部９１に転送される、そこでアナログチップ番号処理部９１がアナログチップＤＢ６６に問い合わせると、予め観測手段データ「Ａ１」で観測して登録されたアナログチップ番号「Ｔ２３８」のチップデータ「Ｔａ１」を基準データとして読み出して、符号ダミーデータ生成部９２に出力する。
【０１０９】
次に、符号ダミーデータ生成部９２は、符号データ群８４からの符号化方法データ「ａ１」によって上記チップデータ「Ｔａ１」を符号化してダミーデータ「ｆ１」を符号照合部９５に出力する。
【０１１０】
この、符号照合部９５の照合方法について説明すると、アナログチップＤＢ６６に予め記録されているチップデータ「Ｔａ１」は、アナログチップ「Ｔ２３８」を観測手段データ「Ａ１」（全情報）で観測したデータであってこれがアナログチップ「Ｔ２３８」の基準データとなる。
ちなみに、アナログチップＤＢ６６に記載されているチップデータ「Ｔａ２」は、アナログチップ番号「Ｔ２４５」のアナログチップを観測手段「Ａ１」（全情報）で観測したデータである。
このように観測手段（Ａ）毎に、アナログチップ番号（Ｔ）に対応するチップデータ（Ｔａ）を記憶する意義は、符号判定部における真贋判定において偽物を排除するための精度を高めることにある。
【０１１１】
更に説明すると、符号判定部８５のアナログチップ番号処理部９１は、送信されてきた符号データ群８４の観測手段データ「Ａ１」とアナログチップ番号「Ｔ２３８」とに基づいて、該当するチップデータ（Ｔａ）をアナログチップＤＢ６６に問い合わせ、この問い合わせによって得られたチップデータ「Ｔａ１」を符号ダミーデータ生成部９２に送出する。
また、符号ダミーデータ生成部９２はアナログチップ番号処理部９１から配信されてきたチップデータ「Ｔａ１」を、暗号化データ群の符号化方法データ「ａ１」に基づいて符号化することによってダミーデータ「ｆ１」を生成する。
【０１１２】
次に、符号照合部９５は、暗号化データ群８７から配信されてくるチップ符号データ「Ｆ１」を受信し、次に符号ダミーデータ生成部９２から送られてくるダミーデータ「ｆ１」と前記チップ符号データ「Ｆ１」（Ｆ）とを照合して真贋を判定する。
【０１１３】
従って、このチップデータ「Ｔａ１」を符号化方法データ「ａ１」で符号化して得たダミーデータ「ｆ１」と、情報網１００を介して送信されてくるアナログチップ「Ｔ２３８」のチップ符号データ「Ｆ１」とは、観測手段と符号化方法が同一なので「ｆ１」と「Ｆ１」とが観測等において生じる誤差の範囲内であれば「ＯＫ」真と判定されこの判定結果は判定情報記憶部８６に記録されてアナログチップ１の真正性を判定する一連の処理が終了する。
この処理における、ダミーデータ（ｆ）の意義はアナログチップ１の偽物を排除するための認識精度を高めることにある。
【０１１４】
図１９から図２０に示された構成において、第２情報処理部９０ａ側にも、第１情報処理部６２に設けられた自律的符号化方法データ出力部８８と同期の信号を出力する図示しないタイムテーブルを有する同期符号化方法データ出力部を設け、この同期符号化方法データ出力部からの符号化方法データ（ａ）によって、第１情報処理部６２から送信されてくる符号データ群８４自体の真正性を判定する事も可能であって、様々なセキュリティシステムの構築が可能である。
【０１１５】
本実施例を概略図を用いて説明したが、上記の構成に捕らわれず本実施例は以下の段階備えているシステムでもある。
すなわち
１，アナログチップを観測部６１によって観測する段階と、
２，前記観測部から出力されたチップ解析データ（ｋａ）を取得する段階と、
３，チップ解析データ（ｋａ）を符号化してチップ符号データ（Ｆ）を取得する段階と、４，予め記憶されたチップデータ（Ｔａ）からダミーデータ（ｆ）を生成する段階と、
５，ダミーデータとチップ符号データとを照合する段階と、
６，判定結果を出力する段階と、
を備えたコンピュータシステム。
である。
【０１１６】
従って、以上の段階を備えたシステムであれば、実施例と異なる構成を備えたシステムであったとしても、本実施例の技術思想を逸脱するものではない。
【０１１７】
又、接触型ＩＣ若しくは非接触型等のＩＣチップから出力される信号をアナログチップ番号（Ｔ）とし、その信号を受信する機構を読み取り部に採用しても良い事は言うまでもない。
【０１１８】
さらに、観測手段（Ａ）は様々な方法が採用可能であって、例えば、可視光線で読み取るものであっても、その他の波長の電波、光を利用して読み取るもの等を採用しても良い。つまり、独自の観測手段（Ａ）に基づくアナログチップ番号に対応するチップデータをアナログチップＤＢ６６に予め登録しておき、該観測手段（Ａ）の規格に準じた観測部を第１情報処理部６２に接続して採用すれば、必要に応じて独自のカード真贋判定システムを構築することが可能である。
【０１１９】
又、観測手段のフィルターを自動的或いは、解析データ照合部６５からのリモート信
号によって交換することによって観測手段を変更することも可能である。
【０１２０】
本実施例の真贋判定システムに採用された符号化方法は、計算処理する為のプログラムデータであるので、例えば、符号データ群が盗聴された場合に、端末入力部に悪意を持った者が不正なデータを入力しても、符号化方法を変更する事によって容易に対応することができるので、カードそのものを無効にする必要が無い。このことは、カード真贋判定システムを利用する使用者のカードの利便性を高めるとともに、使用者の財産を保護することにも繋がり、悪意のある者がカードの偽造などをしようとする意思を阻害するものでもある。
【実施例５】
【０１２１】
次に、情報網１００内での盗聴などの不正に対応する暗号化・復号化機能を備えた実施例について図２１から図２４の図を参照して説明する。
【０１２２】
本実施例の、チップ符号データ（Ｆ）を暗号化・符号化するシステムについては、符号化方法データ（ａ）を遠隔操作（リモート信号（Ｒ））で変更するシステムと、符号化方法データ（ａ）を自律的符号化方法データ出力部８８によって変更するシステムとがある。
【０１２３】
まず、チップ符号データ（Ｆ）を暗号化・復号化するシステムの全体の概略を図２１に基づいて説明する。
なお、本実施例の図に付与された記号などが前述の実施例と同一のものは、特に説明のあるものを除いてその機能効果は同一であるので説明を省略する。
【０１２４】
まず、第１情報処理部６２ｂの端末入力部７２に入力されたアナログチップ１に係るデータがチップ情報記憶部６３に記録され、チップ情報記憶部の各データは暗号化部８０に送信され、このうちチップ解析データ（Ｋａ）はアナログチップ符号化部７６を介して暗号化部８０に送信されている。
【０１２５】
暗号化部８０ではセキュリティ上必要とされるデータを暗号化し、この暗号化されたデータを含む暗号化データ群８７は出力部８２を介して情報網１００を通じて第２情報処理部９０ｂに発信される。
【０１２６】
次に第１情報処理部６２ｂの、二つの異なった態様の実施例について、図２２と図２３によって説明する。図２２に示された実施例の特徴は、符号化方法データ（ａ）を第１情報処理部６２ｂの外からリモートコントロール可能とするものである。
【０１２７】
本実施例の情報網１００に暗号化データ群８７を送信する真贋判定システムは、符号化方法データ（ａ）をリモート信号（Ｒ）で変更する１例であって、図２２に示す第１情報処理部６２ｂ−１には、チップ情報記憶部６３が設けられ、このチップ情報記憶部６３に記憶された観測手段データ「Ａ１」とアナログチップ番号「Ｔ２３８」は暗号化部８０に送信され、チップ解析データ「Ｋａ１」は、符号出力部７８において、リモート符号化方法データ出力部７７から出力された符号化方法データ「ａ１」によってチップ符号データ「Ｆ１」に変換されて暗号化部８０に送信されている。
【０１２８】
このリモート符号化方法データ出力部７７に送信されてくるリモート信号（Ｒ）は、図示しない情報網を通じて送信されてくる際に暗号化されて送信されてくることが好ましく、その際には復号化部８１で復号化され、リモート符号化方法データ出力部７７に伝えられるのでリモート信号（Ｒ）が情報網内の盗聴によって悪用されることを防止する。
【０１２９】
暗号化部８０は、符号化方法データ「ａ１」と観測手段データ「Ａ１」とアナログチップ番号「Ｔ２３８」とチップ符号データ「Ｆ１」とを暗号化して出力部８２を介して情報網１００に送信している。
【０１３０】
なお、符号化方法データ「ａ１」と観測手段データ「Ａ１」とアナログチップ番号「Ｔ２３８」とチップ符号データ「Ｆ１」の全てを暗号化しても良いが、これに捕らわれることなく、例えばアナログチップ番号「Ｔ２３８」のみが暗号化されていても、情報を悪用する事は非常に困難になるので、回線のトラフィック、情報処理部に掛かる負荷などの状況に合わせて任意に暗号化するデータを選択することが出来る。
【０１３１】
次に、他の態様である第１情報処理部６２ｂ−２を図２３に基づいて説明する。
この図２３に示された本実施例の特徴は、符号化方法データ（ａ）を自律的符号化方法データ出力部８８から出力する事により、自律的に符号化方法データ（ａ）を変更でき、更にこれらのデータを暗号化部８０によって暗号化が出来る点にある。
【０１３２】
次に、暗号化データ群８７が送信されてくる第２情報処理部９０ｂについて図２４に基づいて説明すると、情報網１００を介して入力部８３に送信されてきた暗号化データ群８７の、各データは復号化部８１で複合化されて、第２情報処理部９０ｂ内でプログラム処理が可能な状態に復号されている。
【０１３３】
この様に構成されているので、情報網１００を通過する際に悪意のある者にデータを盗まれても、その内容は暗号化されているので解読するには非常な困難性を伴い、その解読の困難性によって不正が防止される。
【０１３４】
前記実施例の、符号データ群８４及び暗号化データ群８７のデータとして、符号化方法データ（ａ）・観測手段データ（Ａ）・アナログチップ番号（Ｔ）・チップ符号データ（Ｆ）を情報網１００を通じて送信されるとしたが、例えば、観測手段データ（Ａ）若しくは符号化方法データ（ａ）が第２情報処理部９０側で予め解っているなら、必ず送信されなくても良いのであって、状況に応じて符号データ群８４及び暗号化データ群８７のデータを選別しても良い事は言うまでもない。
【実施例６】
【０１３５】
図２５は本実施例の概念を示す図であって、本実施例は本発明の認証物を利用して符号化部及び符号ダミーデータ生成部などを省略した単純な真贋判定システムが作成できることを説明するための図である。
【０１３６】
本例においては、前記実施例のアナログチップ符号化部を省略し、符号判定部に変えて観測部から出力される画像データ（チップ解析データ）と、アナログチップＤＢ６６のチップデータに記憶された画像データとを画像データ照合部６７で照合し、画像判定機億部６８にその結果が記憶されるように構成されている。
【０１３７】
図２５に基づいて更に説明すると、端末入力部７２にアナログチップの解析データ（Ｋａ）（画像データ）とアナログチップを特定するためのアナログチップ番号（Ｔ）とが入力されると、画像データ照合部６７にアナログチップ番号（Ｔ）とチップ解析データ（Ｋａ）とを送信する。
【０１３８】
一方、アナログチップＤＢ６６には、アナログチップを特定するための番号であるアナログチップ番号（Ｔ）と、このアナログチップ番号に対応するチップデータ（Ｔａ）（画像データ）を記憶しているので。前記、画像データ照合部６７が、アナログチップ番号をアナログチップＤＢ６６に問い合わせると、予め記憶されていたチップデータ（Ｔａ）が出力され、前記端末入力部７２から出力されたチップ解析データ（Ｋａ）と照合しその結果を画像判定記憶部６８に出力する。
【０１３９】
画像判定記憶部は、アナログチップが本物か否かの判定結果を記憶し、必要に応じて図示しない表示部に出力し判定結果が表示される。
データ例７１について説明すると、
例１、アナログチップ番号＝「Ｔ２３８」・チップ解析データ「Ｋａ１」
例２、アナログチップ番号＝「Ｔ２４５」・チップ解析データ「Ｋａ２」
例３、アナログチップ番号＝「Ｔ２５６」・チップ解析データ「Ｋａ６」
のデータを、画像データ照合部６７に送信されると、画像データ照合部６７は各アナログチップ番号に対応するチップデータを呼び出す。
ここで、例１のチップ解析データの「Ｋａ１」と、チップデータ「Ｔａ１」との画像が照合され、その誤差が許容される範囲であれば「ＯＫ」本物であると判定し、その判定結果を画像判定記憶部６８に送信する。
【０１４０】
また、例２のチップ解析データ「Ｋａ２」とチップデータ「Ｔａ４」の相違が許容外であれば「ＮＧ」偽物と判定し、その判定結果を画像判定記憶部６８に送信する。
このように、システムが簡略なのでチップ解析データを直接照合して判定するシステムは、特には小規模な店舗の顧客管理データベースの本人認証システムに好適である。
【０１４１】
本発明においては、画像圧縮符号化方法である「ＪＰＥＧ」、及びデータ圧縮方法である「ハフマン符号」等を任意に採用する事ができる。
【０１４２】
本発明の、被検出物がチップ内の３次元空間のどの位置にあるかを解析する手段としては、特開平１１−２１８４１６号等の周知の３次元形状解析用光学システム等によって、被検出物の位置を解析することが出来る。
【０１４３】
本発明において、アナログチップ番号を出力する手段として、ＩＣチップから出力される信号を採用し、バーコードリーダ６０に変えてその信号を受信する機構によって番号を自動的に読み取っても良いもので、この構成によれば、カードの複製を制作することがより困難になると言う利点がある。
【０１４４】
本発明において、観測手段に色彩の要素を抽出する方法にフィルターを用いることができるとしてが、このフィルターの意味は光学的な処理のみを示すものではなく、例えば、赤、緑、青の光源を有する観測部において、例えばそれぞれの光源で観測する事により、異なったチップ解析データ（Ｋａ）を得ても良く、様々な観測手段を任意に採用することができる。
【実施例７】
【０１４５】
本実施例は、アナログチップをクレジットカード、ＩＤカード等の本人認証機能が必要とされる本人認証機能付カードへの使用例を示す。
図２６・（Ａ）は表面を示し（Ｂ）は裏面を示している。
アナログチップカード３０の基体３８の表面には、アナログチップ１が設けられ、アナログチップ番号２と、発行元の支店番号と顧客番号等を表すカード番号３１が記入されるカード番号欄３２と、登録シール貼付欄３５とが設けられている。
【０１４６】
また裏面には、連絡先番号３６と、個人認証用のサイン欄３７が設けられている。
この様に構成されているので、例えば、ある金融機関でカード登録をして、そのカードを近所の小売店のカードとして利用することも可能なのである。
すなわち、小売店側では、第１情報処理部と第２情報処理部とを備えた情報処理部と、観測部とを備えたコンピュータを用意し。
【０１４７】
次に、顧客が持っているカードのアナログチップとカードを特定する番号を小売店内のアナログチップＤＢに入力し、更に好ましくは顧客登録されたことを示す登録シールを登録シール貼付欄３５に貼って顧客登録する。
この登録されたアナログチップによって顧客管理を行い、顧客購買行動を記憶して購入金額に応じたクーポンの発行などの顧客サービスを小売店側で可能とすることができる。
【０１４８】
この時、例えば発行元の銀行がＩＣを有するカード等であっても、発行元の認証システムとは全く独立した各小売店独自のアナログチップ認証システムを独自に構築することができる。
また、図２７に示すように第２情報処理部９０を備えた、アナログチップ管理センター１２（認証サーバ）に、第１情報処理部６２を備えた複数の小売店１３（クライアント）を接続させることによっても、小売店（クライアント）毎に符号化方法データ（ａ）及び観測手段データ（Ａ）が異なる真贋判定システムを構築することが可能となる。
つまりアナログチップカードの所有者は、アナログチップカード３０を１枚所有することで、小売店が単独で構築する真贋判定システムや、認証サーバでアナログチップを認証するネットワークシステムを利用する真贋判定システム等の複数のアナログチップ認証システムにアクセスすることが可能となるのである。
【０１４９】
その結果、アナログチップカードの所有者は、従来多くの会員カードを持ち歩かなければ受けられなかった多数の小売店が発行するクーポンなどの特典を、１枚のアナログチップカードによって受けることができるという今までになかった効果が得られる。
【０１５０】
また、本実施例では計測点８をアナログチップの角としたが、２次元バーコードの読み取りの際に利用される切り出しシンボルと同様の機能を奏するシンボルを予め決められた特定の位置に設けて被解析物の位置の推定を行っても良い。
また、本発明の観測部は、少なくとも１つの観測方法を備えていればよいが、複数の観測方法を備えていても良い。
【０１５１】
また、本発明のアナログチップは物であるため、観測方法の精度を変更することによって異なる真贋判定システムの構築が可能となる。このことを効果の一例として説明すると。
例えば、観測部のレンズが等倍の場合には、被解析物の部分の細部の特徴が観測できなくとも、観測部のレンズの倍率が１０倍のような場合には、１０倍に拡大された被解析物の部分の細部の特徴を観測しアナログチップの要素として記憶することが可能となるのである。
このことは例えば、同じアナログチップを認証する場合であっても、廉価では有るがアナログチップの複製を排除するための認識精度が低い真贋判定システムを構築するか、高価では有るがアナログチップの複製を排除するための認識精度が高い真贋判定システムを構築するかを、必要に応じて決めることが出来ると言う効果をもたらすのである。
【０１５２】
言い換えれば、アナログチップの真贋判定によって得られる結果の価値が高い場合であっても、低い場合であっても、同じアナログチップを供えた認証物を複数の観測方法によって対応することが可能な今までのＩＤカードには無い効果を得ることが出来るのである。  ひいては本件発明の真贋判定システムは、一つの認証物で真贋判定で認証された際に得られる価値が比較的安いポイントカード等の真贋判定システムから、認証された際に得られる価値が高いクレジットカード等の真贋判定システムに採用が可能な、多様なセキュリティレベルの要求に応えることが出来る認証物とその真贋判定システムを提供することが出来るのである。
【産業上の利用可能性】
【０１５３】
本発明は本人認証における所有物認証に関わり、クレジットカード、ＩＣカードの本人認証として採用が可能であって、スキミングが不可能で偽造されにくく、情報網等においてデータがコピーされても解析方法、および符号化方法を変更することで、悪意のある者に対抗でき、不正があってもカードを破棄することなく個別の情報処理装置のシステムで対応できるのでシステム全体に掛かるセキュリティのコストを低減させることが可能となり、本人認証を所有物によって認証するシステム、例えば、コインロッカーのキーシステム、駐輪場のキーシステム、緊急用の個人登録カードシステム等様々なシステムにも採用が可能であって、産業上の利用可能性は極めて大きい。
【図面の簡単な説明】
【０１５４】
【図１】アナログチップの一例を示す図である。
【図２】チップ符号データの一例を示す図である。
【図３】チップ符号データの一例を示す図である。
【図４】チップ符号データのフレーム図形の一例を示す図である。
【図５】チップ符号データのフレーム図形の一例を示す図である。
【図６】チップ符号データのフレーム図形の一例を示す図である。
【図７】アナログチップの製造方法の一例を示す模式図である。
【図８】図７に記載の実施例の端片を示し（Ａ）は平面図で、（Ｂ）は斜視図である。
【図９】符号表の例を示す図である。
【図１０】チップ解析データとチップ符号化データの例を示す図である。
【図１１】チップ解析データとチップ符号化データの例を示す図である。
【図１２】チップ解析データとチップ符号化データの例を示す図である。
【図１３】メッシュ構造を有するアナログチップの平面図である。
【図１４】チップ解析データとチップ符号化データの例を示す図である。
【図１５】メッシュ構造を符号化するメッシュ符号表を示す図である。
【図１６】チップ符号データの一例を示す図である。
【図１７】アナログチップ真贋判定システムの一例を示す概念図である。
【図１８】図１７に記載の第１情報処理部の概念図である。
【図１９】図１７に記載の第１情報処理部の概念図である。
【図２０】図１７に記載の第２情報処理部の概念図である。
【図２１】アナログチップ真贋判定システムの一例を示す概念図である。
【図２２】図２１に記載の第１情報処理部の概念図である。
【図２３】図２１に記載の第１情報処理部の概念図である。
【図２４】図２１に記載の第２情報処理部の概念図である。
【図２５】アナログチップ真贋判定システムの一例を示す概念図である。
【図２６】本人認証機能付きカードの一例を示す図である。
【図２７】本発明をネットワークに適用した際の説明図である。
【符号の説明】
【０１５５】
１    アナログチップ
２    チップ番号表示
３    ベース
８    計測点
３０  アナログチップカード
３１  カード番号
３２  カード番号欄
３５  登録シール貼付欄
３６  連絡先電話番号欄
３７  サイン欄
６０  バーコードリーダ（読み取り部）
６２  第１情報処理部（情報処理部）
８０  暗号化部
８１  復号化部
８２  出力部
８３  入力部
９０  第２情報処理部（情報処理部）
９３  ダミーデータ例
【図１】
0004395660.tif 000007
【図２】
0004395660.tif 000008
【図３】
0004395660.tif 000009
【図４】
0004395660.tif 000010
【図５】
0004395660.tif 000011
【図６】
0004395660.tif 000012
【図７】
0004395660.tif 000013
【図８】
0004395660.tif 000014
【図９】
0004395660.tif 000015
【図１０】
0004395660.tif 000016
【図１１】
0004395660.tif 000017
【図１２】
0004395660.tif 000018
【図１３】
0004395660.tif 000019
【図１４】
0004395660.tif 000020
【図１５】
0004395660.tif 000021
【図１６】
0004395660.tif 000022
【図１７】
0004395660.tif 000023
【図１８】
0004395660.tif 000024
【図１９】
0004395660.tif 000025
【図２０】
0004395660.tif 000026
【図２１】
0004395660.tif 000027
【図２２】
0004395660.tif 000028
【図２３】
0004395660.tif 000029
【図２４】
0004395660.tif 000030
【図２５】
0004395660.tif 000031
【図２６】
0004395660.tif 000032
【図２７】
0004395660.tif 000033